(57)【特許請求の範囲】
【請求項１】
パネル枠の表面側に上下方向に複数枚の外装材を並設し、上下に隣接する外装材の端部間の横目地溝内の長手方向の両端部にパッキング材を着脱自在にはめ込むとともに両端部のパッキング材間の横目地溝内に横目地溝をシールするためのシール材を充填して外壁パネルを構成し、この外壁パネルを複数枚横方向に並設して外壁を構成するに当たり、建設現場で外壁パネルの横目地溝の端部にはめ込んでいるパッキング材を取り外し、横目地溝と直交する外壁パネルの側端部と、横目地溝と直交する隣の外壁パネルの側端部との間に形成される縦目地溝とパッキング材を取り外した跡に現れる横目地溝端部露出部とを連通させ、縦目地溝とこれと連通する横目地溝端部露出部とに現場打ちシール材を充填することを特徴とする外壁パネルを用いた外壁の施工方法。
【請求項２】
パネル枠の表面側に上下方向に複数枚の外装材を並設し、上下に隣接する外装材の端部間の横目地溝に該横目地溝の両端部を除いてシール材を充填して外壁パネルを構成し、この外壁パネルを複数枚横方向に並設し、横目地溝と直交する外壁パネルの側端部と、横目地溝と直交する隣の外壁パネルの側端部との間に形成される縦目地溝と、この縦目地溝に連続する外壁パネルの横目地溝の端部とに現場打ちシール材を充填して成ることを特徴とする外壁パネルを用いて構成した外壁。
【発明の詳細な説明】
【０００１】
【発明の属する技術分野】
本発明は、外壁パネルを用いた外壁の施工方法及び外壁パネルを用いて構成した外壁に関するものである。
【０００２】
【従来の技術】
従来からパネル枠の表面側にセメント成形品のような窯業系の外装材を複数枚並設した外壁パネルを工場で製造し、この外壁パネルを現場に運んで梁、柱等の建物構造材に複数枚横方向に並設して取付け施工することで各階の外壁を構成するようにしている。
【０００３】
パネル枠１の表面側にセメント製品のような窯業系の外装材２を上下方向に複数枚並設した外壁パネル３を工場で製造する際、上下に隣接する外装材２の端部間から水漏れがしない外壁パネル３とするため隣接する外装材２の端部間形成される横目地溝４に工場でシール材６を充填するようにしている。工場で目地溝にシール材６を充填するには、外装材２の上下方向の端部の表面側に横方向の全長にわたって目地溝形成用段部１１を形成し、この外装材２を複数枚上下方向にパネル枠１の表面に並設して固着し、上下に隣接する外装材２の端部の目地溝形成用段部１１により横目地溝４が形成されるので、外装材２の横目地溝４と直交する両側端部に沿って当て材を当てて目地溝の両端部を閉じ、この状態で横目地溝４内にシール材６を充填し、シール材６を充填した後に外装材２の両側端部に当てていた当て材を離すようにしている。このように、従来の外壁パネル３は、横目地溝４の端部に至るまで全長にわたってシール材６をあらかじめ工場で充填していた。
【０００４】
上記のようにあらかじめ工場で製造した外壁パネル３を現場に運び、外壁パネル３を複数枚横方向に並設して各階の外壁を形成し、隣接する外壁パネル３の側端部間の縦目地溝７部分から水漏れがしないように現場において現場打ちシール材９を充填するのであるが、隣接する外壁パネル３の側端部間の縦目地溝７の内側面に各外壁パネル３の横目地溝４内に充填したシール材６の長手方向の端部が露出し、縦目地溝７に充填した現場打ちシール材９があらかじめ横目地溝４に充填してあるシール材６の長手方向の端面に打ち継がれ、この現場打ちシール材９の横目地溝４に充填してあるシール材６への打ち継ぎ面Ｍが直線状の縦目地溝７の内側面の一部を形成することになる。ところが、打ち継ぎ面Ｍの背面側には外装材２の突き合わせ部分が位置しているのでこの打ち継ぎ面Ｍは他の部分に比べて止水性に劣り、また、現場打ちシール材９は外装材２の側端部に密着する部分と、横目地溝４にあらかじめ充填されて硬化しているシール材６の長手方向の端面との打ち継ぎ面Ｍとでは、打ち継ぎ面Ｍの方が止水性が劣るものである。
【０００５】
このため、上記従来例のように、直線状の縦目地溝７のシール材６を充填した部分の表面側に沿って雨水が直線状に流れ落ちる際、直線状の縦目地溝の内側面の他の部分に比べて止水性に劣る打ち継ぎ面Ｍにおいて水が浸入しやすいという問題がある。
【０００６】
【発明が解決しようとする課題】
本発明は上記の点に鑑みてなされたものであり、縦目地溝の表面に沿って流れる雨水が現場打ちシール材と外壁パネルの横目地溝にあらかじめ充填してあるシール材との打ち継ぎ面から浸入し難い構造にできる外壁パネルを用いた外壁の施工方法及び外壁パネルを用いて構成した外壁を提供することを課題とするものである。
【０００７】
【課題を解決するための手段】
上記課題を解決するために本発明に係る外壁パネルを用いた外壁の施工方法は、パネル枠１の表面側に上下方向に複数枚の外装材２を並設し、上下に隣接する外装材２の端部間の横目地溝４内の長手方向の両端部にパッキング材５を着脱自在にはめ込むとともに両端部のパッキング材５間の横目地溝４内に横目地溝４をシールするためのシール材６を充填して外壁パネル３を構成し、この外壁パネル３を複数枚横方向に並設して外壁８を構成するに当たり、建設現場で外壁パネル３の横目地溝４の端部にはめ込んでいるパッキング材５を取り外し、横目地溝４と直交する外壁パネル３の側端部と、横目地溝４と直交する隣の外壁パネル３の側端部との間に形成される縦目地溝７とパッキング材５を取り外した跡に現れる横目地溝端部露出部１０とを連通させ、縦目地溝７とこれと連通する横目地溝端部露出部１０とに現場打ちシール材９を充填することを特徴とするものである。
【０００９】
また、本発明の外壁パネルを用いて構成した外壁は、パネル枠１の表面側に上下方向に複数枚の外装材２を並設し、上下に隣接する外装材２の端部間の横目地溝４に該横目地溝４の両端部を除いてシール材６を充填して外壁パネル３を構成し、この外壁パネル３を複数枚横方向に並設し、横目地溝４と直交する外壁パネル３の側端部と、横目地溝４と直交する隣の外壁パネル３の側端部との間に形成される縦目地溝７と、この縦目地溝７に連続する外壁パネル３の横目地溝４の端部とに現場打ちシール材９を充填して成ることを特徴とするものである。
【００１０】
本発明によれば、外壁パネル３の上下に隣接する外装材２の端部間の横目地溝４内の長手方向の両端部にパッキング材５を着脱自在にはめ込むとともに両端部のパッキング材５間の横目地溝４内に横目地溝４をシールするためのシール材６を充填してあるので、現場で外壁パネル３を複数枚横方向に並設して外壁８を形成するに当たり、現場でパッキング材５を取り外すことで、外壁パネル３の横目地溝４の端部にパッキング材５が充填してない横目地溝端部露出部１０を露出させることができ、これにより外壁パネル３の横方向に隣接する側端部間に形成される縦目地溝７と横目地溝端部露出部１０を直角に連続させ、この部分に現場打ちシール材９を充填することで、あらかじめ工場で横目地溝４に充填して硬化しているシール材６と現場で充填する現場打ちシール材９との打ち継ぎ面が縦方向に一直線となった縦目地溝７の内側面よりも外壁パネル３内に引き込んだ位置となり、このため、雨水が縦目地溝７の表面（つまり縦目地溝７に充填した現場打ちシール材９の表面）に沿って流れる際に、上記打ち継ぎ面側に流れにくく、また縦目地溝７から打ち継ぎ面までの距離が長いため、打ち継ぎ面からの水漏れが防止できるものである。
【００１１】
【発明の実施の形態】
以下、本発明を添付図面に示す実施形態に基づいて説明する。
【００１２】
図１には本発明の外壁パネル３を施工して構成した外壁８が示してある。外壁パネル３はあらかじめ工場で形成されるものであり、金属製あるいは木製のパネル枠１の表面側に上下方向に複数枚の外装材２を並べて固着することで構成してある。図２に示すように外装材２はセメント成形品のような窯業系のもので防水性を有しているものである。外装材２の上下方向の端部は横方向の全長にわたって目地溝形成用段部１１が形成してあり、添付図面に示す実施形態では前側段部１１ａと奥側段部１１ｂとで構成してある。上下に隣接する外装材２は上下方向の端面が互いに突き合わせ当接してあり、これにより上下に隣接する目地溝形成用段部１１で横目地溝４が形成してある。横目地溝４は一対の前側段部１１ａにより形成される前側横目地溝４ａと一対の奧側段部１１ｂにより形成される奥側横目地溝４ｂとで構成してあり、幅広の前側横目地溝４ａの奧に連通して幅狭の奥側横目地溝４ｂが形成されることになる。
【００１３】
上記外壁パネル３の横目地溝４の長手方向の両端部にはスポンジ系のパッキング材５が着脱自在に嵌め込まれ、この両端部のパッキング材５間の横目地溝４内に横目地溝４をシールするためのシール材６が充填してあって上下の外装材２の突き合わせ部分のシールをしている。
【００１４】
ここで、パッキング材５は横目地溝４の長手方向の端部から約１０ｍｍ程度内側に引き込んだ位置まで嵌め込むものであり、横目地溝４の両端部内に上記のようにパッキング材５を嵌め込むことで、シール材６の充填に当たって、シール材６が横目地溝４の端部から漏れることなく横目地溝４内に両端部から約１０ｍｍ程度引き込んだ位置まで簡単且つ正確に充填することができることになる。
【００１５】
なお、添付図面に示す実施形態においては奧側横目地溝４ｂ内にシール材６を充填している例を示している。
【００１６】
上記のような構成の外壁パネル３はあらかあじめ工場で製造される。このように工場で製造された外壁パネル３を現場に運んで施工することで建物の外壁８を構成するものである。
【００１７】
建物の外壁８を現場で形成するに当たっては、外壁パネル３を梁１３や柱等の建物構造材に複数枚横方向に並設して取付け施工することで各階の外壁８を形成するようにしている。
【００１８】
この場合、横方向に隣接する外壁パネル３の外装材２の側端部（横目地溝４の長手方向と直交する外装材２の端部）間に縦目地溝７となる小隙間が形成されるように外壁パネル３を建て込んで梁１３や柱等の建物構造材に取付ける。
【００１９】
縦目地溝７には溝奧に乾式の耐火目地材１４をはめ込んで縦目地溝７部分における防火性能を確保しており、更に、縦目地溝７内には耐火目地材１４の前側に乾式の水密材１５を嵌め込む。
【００２０】
一方、外壁パネル３の横目地溝４の長手方向の端部にはめ込んでいるパッキング材５を建設現場において取り外してパッキング材５を取り外した跡にシール材６が充填してない横目地溝端部露出部１０を露出させる。なお、パッキング材５を除去する時点は外壁パネル３を建て込む前、あるいは外壁パネル３を建て込んだ後で耐火目地材１４、乾式の水密材１５を嵌め込む前、あるいは耐火目地材１４、乾式の水密材１５を嵌め込んだ後で後述の現場打ちシール材９を充填する前のいずれであってもよい。図６は（ａ）に示すようにパッキング材５を付けたまま外壁パネル３を建て込み、次に、（ｂ）に示すようにパッキング材５を取り外して横目地溝端部露出部１０を露出させる例を示している。
【００２１】
上記のようにしてパッキング材５を除去した跡に現れる横目地溝端部露出部１０は縦目地溝７と直交して連通することになる。また、縦目地溝７にはめ込んだ水密材１５の前面は横目地溝端部露出部１０の底面とほぼ面一の位置となるようにする。
【００２２】
上記のように縦目地溝７とこれと連通する横目地溝端部露出部１０とに現場打ちシール材９を充填することで、横方向における外壁パネル３の端部間の防水を行うものである。
【００２３】
そして、本発明においては建設現場で施工される現場打ちシール材９は縦目地溝７とこれと連通する横目地溝端部露出部１０とに連続して一体に充填され、このようにして建設現場で充填された現場打ちシール材９と工場であらかじめ横目地溝４に充填して硬化しているシール材６との打ち継ぎ面Ｍが縦方向の縦目地溝７から外壁パネル３の内側に引き込んだ位置になる。
【００２４】
しかして、上記のようにして形成した建物の外壁８に雨水がかかった場合、風などにより外壁８表面にかかった雨水は縦目地溝７の表面（現場打ちシール材９の表面）側に吹き寄せられ、縦目地溝７の表面を下方に流れる場合がある。このような場合、上記のように打ち継ぎ面Ｍが現場打ちシール材９と工場であらかじめ横目地溝４に充填して硬化しているシール材６との打ち継ぎ面Ｍが縦方向の縦目地溝７から外壁パネル３の内側に引き込んでいるため、雨水が縦目地溝７の表面（つまり縦目地溝７に充填した現場打ちシール材９の表面）に沿って下方に流れる際に、上記打ち継ぎ面側に流れにくく、また縦目地溝７から打ち継ぎ面Ｍまでの距離が長いため、打ち継ぎ面からの水漏れが防止できるのである。
【００２５】
なお、建物が２階建て等の多層階の場合、上階の外壁８を形成するための外壁パネル３の下端と下階の外壁８を形成するための外壁パネル３の上端の間には図５に示すような横方向の目地形成溝２０が形成されこの目地形成溝２０の溝奧に乾式の耐火目地材１４をはめ込んで縦目地溝７部分における防火性能を確保しており、更に、縦目地溝７内には耐火目地材１４の前側に乾式の水密材１５を嵌め込み、更に、乾式の水密材１５の前側に現場打ちシール材９を充填し、この横方向の目地形成溝２０に充填される現場シール材９は前述の縦目地溝７に充填される現場シール材９と同時に連続して充填されるものである。
【００２６】
なお、添付図面において２１は外壁パネル３の裏面側に取着してある内装下地材であり、２２は外壁８の裏面側（屋内側）に取着される内装材である。
【００２７】
【発明の効果】
上記のように本発明にあっては、外壁パネルが、上下に隣接する外装材の端部間の横目地溝内の長手方向の両端部にパッキング材を着脱自在にはめ込むとともに両端部のパッキング材間の横目地溝内に横目地溝をシールするためのシール材を充填したものであるから、この外壁パネルを用いて外壁を構成することで、外壁パネル間の縦目地溝の表面に沿って流れる雨水が現場打ちシール材と外壁パネルの横目地溝にあらかじめ充填してあるシール材との打ち継ぎ面を縦目地溝から外壁パネル内部に引き込んだ位置にできるものであって、縦目地溝を下方に流れる雨水が打ち継ぎ面から浸入し難い構造にできるものである。
【００２８】
また、このように縦目地溝を下方に流れる雨水が打ち継ぎ面から浸入しにくい構造の外壁を構成するに当たって、上下に隣接する外装材の端部間の横目地溝内の長手方向の両端部にパッキング材を着脱自在にはめ込むとともに両端部のパッキング材間の横目地溝内に横目地溝をシールするためのシール材を充填という簡単な構造の外壁パネルで上記外壁が構成できるものであり、パッキング材を横目地溝の端部内にはめ込むだけでよいので工場で横目地溝の両端部を除いた部分にシール材を充填するに当たり、簡単な構成でシール材が横目地溝の長手方向の端部から漏れないで正確に充填できるものである。しかも、建設現場における施工で現場打ちシール材を充填するに当たっては、パッキング材を取り外すだけで、縦目地溝と横目地溝の横目地溝端部露出部とを連通させ充填することができて、施工性を高めることができるものである。
【図面の簡単な説明】
【図１】本発明の外壁パネルを用いて構成した外壁の一部切欠斜視図である。
【図２】同上の外壁パネルを横方向に接続した縦目地溝部分の断面図である。
【図３】同上の正面図である。
【図４】図１のＸ部分の拡大斜視図である。
【図５】同上の外壁パネルを縦方向に接続した接続部分の断面図である。
【図６】（ａ）は外壁パネルを並設して取付けて縦目地溝を形成した状態を示す斜視図であり、（ｂ）はパッキング材を取り外して横目地溝端部露出部を露出させて縦目地溝と連通させた状態を示す斜視図である。
【図７】従来例の外壁の正面図である。
【図８】従来例の図１のＸ部分に相当する外壁パネルの横目地部分の端部を示す斜視図である。
【符号の説明】
１  パネル枠
２  外装材
３  外壁パネル
４  横目地溝
５  パッキング材
６  シール材
７  縦目地溝
８  外壁
９  現場打ちシール材
１０  横目地溝端部露出部
【図１】
0003662868.tif 000002
【図２】
0003662868.tif 000003
【図３】
0003662868.tif 000004
【図４】
0003662868.tif 000005
【図５】
0003662868.tif 000006
【図６】
0003662868.tif 000007
【図７】
0003662868.tif 000008
【図８】
0003662868.tif 000009